(57)【要約】      （修正有）【課題】クラブのヘッド部分を交換することやシャフト長さを伸縮できるようにする等で、一本で済むようにしたクラブのヘッドとシャフトの形状・構造を提供する。【解決手段】ヘッド部分をドライバー型、アイアン型、サンドウェツジ、パターの４組として、ロフト角の変換構造と、ヘッド底板の水平確保構造を付加して、それにシャフト長さの伸縮構造を組合わせることによって、距離やコースの状況に応じたヘッドを選び、ロフト角やシャフトの伸縮を利用者が自分でセットすることで、従来のゴルフクラブを選定するのと、ほぼ同じことができる。【選択図】図１−１
0003175452.tif 000002
【実用新案登録請求の範囲】
【請求項１】
ゴルフ場の開放感あふれる自然を、多くの人が楽しめるように、ゴルフボールを大きく、軟らかくし、扱い易くしたビックゴルフ（別名  カントリーゴルフ）に使用するクラブを一本で済むようにクラブの形状・構造を
１．ヘッド部分をドライバー型、アイアン型、サンドウェツジ、パターの４組を交換できる形状・構造とする。
飛距離を出すための質量感あるヘッド              ドライバー
確実な方向性を捉えるヘッド                      アイアン
サンドから確実に打上げるヘッド                  サンドウェツジ
グリーン上を正確に転がすヘッド                  パター
２．ロフト角の変換構造
シャフトの根元部の断面を六角型とし、ここに任意のロフト角変換板を取り付けるこ  とでロフト角が固定でき、同時にヘッドの回転を防止しすることもできるロフト角変換  の形状・構造
３．ヘッド底板の水平確保構造
ロフト角の変換に対応して、ヘッドの底板が水平を保持できるように、ロフト角に応  じた水平確保板を差込むことで水平を確保できるヘッド底板の水平確保の形状・構造
４．シャフト長さの伸縮構造
シャフトの握りの部分をネジ構造の二重構造とし、回転させることでシャフト長さを  伸縮させ、ネジが噛み合うことで飛び出しを防止できる形状・構造
という四つの特徴を持つ形状・構造を有することで、ヘッドの交換、ロフト角の変換、底板の水平確保、シャフト長さの伸縮、の組合せを任意にセットすることで多種類のクラブを持つと同じことになり、このような形状・構造を特徴としたクラブ
【考案の詳細な説明】
【技術分野】
【０００１】  ゴルフは自然の中で楽しめるスポーツである。ゴルフのボールを大きく、軟らかくして、打ち易くすることでビッグゴルフ（別名  カントリーゴルフ）とし、一般化すると共にゴルフ場の利用拡大をも目指す。
このビッグゴルフ（カントリーゴルフ）に使用するクラブのヘッド部分を交換することやシャフト長さを伸縮できるようにする等で、一本で済むようにしたクラブのヘッドとシャフトの形状・構造に関するものである。
【背景技術】
【０００２】  従来のゴルフのクラブはドライバーは１〜５番、アイアンは１〜９番、ピッチングウエッジ、サンドウエッジ、パターから構成されており、多数のクラブを用いる。各クラブはヘッドのロフト角とシャフトの長さが固定されており、ヘッドとシャフトは一体構造となっている。
そして、その中の任意の１４本のクラブを使用できると定められている。
【考案の概要】
【考案が解決しょうとする課題】
【０００３】  ゴルフの場合はボールが小さいので、芯に当てるには熟練が必要であり、またシャフトの「しなり」（弾力性）を利用もするので高度な技術が必要となり難しいスポーツである。
また、狙った距離やコースの状況に合わせて一打毎にクラブを選定している。このため、ドライバー、アイアン、パター等の多数のクラブを用意するのでかさばると共に全体重量も重くなり、持ち運びは大変でキャデイやカートを利用している。また、購入価格も高くなり身近なスポーツにはなり難かった
このため、ビックゴルフ（カントリーゴルフ）ではボールを大きくしスイートスポットを広げ、また軟らかくすることで打ち易くすると共に、ヘッド部分の交換とシャフト長さの伸縮を組み合わせてセットすることで、クラブの本数は一本で済むようにする。
【課題を解決するための手段】
【０００４】  考案のクラブはヘッド部分をドライバー型、アイアン型、サンドウェツジ、パターの４組として、前２型にはロフト角の変換構造とヘッド底面の水平確保構造を付加して、それにシャフト長さの伸縮構造を組み合わせることによって、距離やコースの状況に対応できるヘッドを選択し、ロフト角やシャフトの伸縮を自分でクラブにセットすることで、従来のゴルフクラブを選定するのと、ほぼ同じものを利用者がセットできるように考案したものである。
【考案の効果】
【０００５】１．ビッグゴルフ（カントリーゴルフ）のクラブはコースの状況に応じて、ヘッドを選び、ロフト角を固定し、同時にシャフト長さも調整することで、一本のクラブで済ませることができる。
必要な用具は、交換するヘッドと、そのロフト角変換板、及び底面の水平確保板、取付・締付金具なので、かさばらず、重量も軽く、キャデイやカートに頼らずに自分で持運べ、一般的なスポーツの形態となる。
またクラブの購入価格が格段に安くなる。
２．ボールはゴルフボールより大きくし（５８〜６０ｍｍ）スイートスポットが大きくなり、また軟らかくして、重さはゴルフボールと同じ、又は以下とすることで打ち易くなる。
ボールの大きさがゴルフと野球やテニスなどとの中間的な大きさとなることで既成概念を払拭してプレイできる。
３．また、クラブはシャフトの「しなり」（弾力性）を利用することをせず、芯に当てるという打撃の原点に基づくようにすることで、ゴルフの入門スポーツとも云え、ゴルフ人口の増加やゴルフ場の利用拡大に役立つ。
４．ボールは大きいし、軟らかいのでグリーンやコースを荒らさない。
５．ゴルフより飛距離が短いので打数が多くなるので、９ホール（ハーフ）をゲームの単位とすることで、時間の短縮をでき、より多くの人がプレイできる。
６．ゴルファーが高齢となった場合に、ビックゴルフ（カントリーゴルフ）に切り替えることで無理なく年齢に応じたゴルフプレイを楽しめる。
７．ボールが大きく、軟らかくなることでプレイし易くなり、老若男女が無理なく楽しめるファミリースポーツとなる。
８．ヘツドの材質・形状をゴルフボールの硬さや大きさに対応するものに変えることで、本来のゴルフにも準用できる。
９．ボールは反発力の強いウレタン系の、スポーツや子供の遊具のボールが多種存在するので、ビックゴルフ専用に大きさと重さは規定し、構造はゴルフボールと同じく多様性を認めればよい。
１０．ロフト角変換板や水平確保板を、またライ角を自分の体格に合ったものに作ることで、自分専用のクラブもできる。
１１．グリーンを荒らさないようにホールインの代わりに二重のリングをセットし、外側の直径５０ｃｍのリングの中に入ったことでＯＫとし、内側の直径２５ｃｍのリングに入った場合はゴールドマークを付加して、打数が同じ場合はゴールドマークの獲得数が多い方を上位とすることでホールアウトを易しくできる。
【図面の簡単な説明】
【０００６】
【図−１】ドライバー型クラブヘッドの形状・構造
【図１−１】ヘッド部分裏面の斜視図
【図１−２】ヘッド部分裏面の形状・構造
【図１−３】ロフト角変換と底面の水平確保の形状・構造
【図１−３−１】５番ドライバー（ロフト角  ２１°  ライ角  ６０°）
【図１−３−２】３番ドライバー（ロフト角  １６°  ライ角  ６０°）
【図１−３−３】１番ドライバー（ロフト角  １１°  ライ角  ６０°）
【図−２】アイアン型クラブヘッドの形状・構造
【図２−１】ヘッド部分裏面の斜視図
【図２−２】ヘッド部分裏面の形状・構造
【図２−３】ロフト角変換と底面の水平確保の形状・構造
【図２−３−１】９番アイアン（ロフト角  ４０°  ライ角  ６０°）
【図２−３−２】７番アイアン（ロフト角  ３１°  ライ角  ６０°）
【図２−３−３】５番アイアン（ロフト角  ２６°  ライ角  ６０°）
【図２−３−４】３番アイアン（ロフト角  ２１°ライ角  ６０°）
【図−３】サンドウエッジのヘッドの形状・構造
【図３−１】ヘッド部分裏面の斜視図
【図３−２】ヘッド部分裏面の形状・構造
【図３−３】ロフト角変換と底面の水平確保の形状・構造
【図３−３−１】サンドウエッジ（ロフト角  ５６°  ライ角  ６０°）
【図−４】パターのヘッドの形状・構造
【図４−１】ヘッド部分裏面の斜視図
【図４−２】ヘッド部分裏面の形状・構造
【図４−３】ロフト角変換と底面の水平確保の形状・構造
【図４−３−１】パター（ロフト角  ９０°  ライ角  ７５°）
【図−５】クラブシャフトの伸縮部の形状・構造
【図５−１】クラブシャフトの斜視図
【図５−２】クラブシャフト伸縮部の形状・構造
【図−６】クラブシャフト先端部（水平部）の形状・構造
【図６−１】クラブシャフト先端部（水平部）の斜視図
【図６−２】クラブシャフト先端部（水平部）の形状・構造
【考案を実施するための形態】
【０００７】１．ヘッドの交換
ゴルフでは距離やコースの起伏などの状況に応じて、ドライバー、アイアン、サンドウェツジ、パターなどの多種類のクラブを使用するのでプレイ中の持ち運びが大変である。そして、買い揃えるのに多大な経費を要する。このためビッグゴルフ（カントリーゴルフ）ではヘッドの交換やシャフトを伸縮させることで、一本のクラブでもプレイできるようにクラブの形状・構造を考案したものであり
１．飛距離を出すことに重点を置いた          ドライバー型（ライ角  ６０°）
２．確実な方向性に重点を置いた              アイアン型（ライ角  ６０°）
３．サンドの中からの打ち上げに重点を置いた  サンドウェツジ（ライ角  ６０°）
４．グリーン上の正確な転がしに重点を置いた  パター（ライ角  ７５°）
の４組のヘッドを交換できるようにする。
そしてドライバー型、アイアン型はロフト角を変換することで数種のクラブとして使えるようにした。
ドライバー型  １番（ロフト角１１°）、３番（ロフト角１６°）、５番（ロフト角２１°）
アイアン型    ３番（ロフト角２１°）、５番（ロフト角２６°）、７番（ロフト角３１°）、９番（ロフト角４０°）
サンドウエッジ  （ロフト角５６°）    パター  （ロフト角９０°）
図−１、図−２、図−３、図−４のようにヘッドをシャフトと分離し、ヘッド裏面のシャフト軸受けＡ、Ｂを通したシャフトを軸にヘッドが回転できるようにした。そして、底板には水平確保板を重ねることでロフト角に拘らずに水平を確保できる形状・構造をセットし、シャフト先端部は図−６−１のようにボルト・ナット構造とし、締付けることで打撃時のヘッドの飛び出し防止とヘッドとの一体化を補足するようにした。
また、図−１、図−２、図−３、図−４のように中央部にはヘッドとシャフトの一体化を図れるよう締め金具によりヘッドをシャフトに締め付ける形状・構造とし、併せて飛び出し防止を補足するようにした。シャフトの水平部分の中心高さはボールの半径に近づけてヘッドのぐらつきを防止するようにした。
ドライバ−型は飛距離を出すため、ヘッドは板厚を厚くして質量感のある形状・構造とし、感覚的にもゴルフのクラブに似た形状を用いることでゴルフ入門にふさわしいものとした。
サンドウェツジはロフト角が大きく、パターはライ角が大きく、それぞれ一本あれば良く、ロフト角変換板や水平確保板の交換は不要となるので、規定の角度でヘッドに一体化した形状・構造とし、取り付け手間を少なくすることもできる。
そしてヘッド中央部のシャフト軸受けＡ、Ｂ間は板厚を厚くし、打撃時の構造補強と衝撃吸収に対応させる。
２．ロフト角の変換構造
クラブを選定する際には狙う距離とボールの接地状況に対応できるロフト角のクラブを選んでいる。アイアン型を例にとると、ヘッドのロフト角を変換するには図１−２、図２−２、図３−２、図４−２のようにヘッド裏面のシャフト軸受けＡ、Ｂ間を半管状として滑りやすくし、シャフトの先端部の水平部分をシャフト軸受けＡ、Ｂを通し、ヘッドはこの水平シャフトを軸として回転できる。
図−６のようにシャフト水平部の根元に六角形状の部分を設け、この部分を図１−３、図２−３、図３−３、図４−３、のロフト角変換板の六角形の穴の中に差込み、ロフト角変換板を固定することでヘッドに沿う斜辺が希望のロフト角に固定されるので、これに沿わせたヘッドが希望のロフト角で固定されることになる。
ロフト角変換板は辺長がシャフト軸の中心より上下に張り出しているので回転できずに希望のロフト角で固定されることになる。また、図１−１、図２−１、図３−１、図４−１のように半円形状の締め金具をボルトで締付けることで確実にシャフトとヘッドを一体化させる。
アイアン型はロフト角が３番  ２１°、５番  ２６°、７番  ３１°、９番  ４０°となるロフト角変換板を選び、ロフト角変換板は表裏を使うことで３番と５番、７番と９番のロフト角変換板が、それぞれ一枚づつのとなり、二枚のロフト角変換板で済む。
ドライバー型もアイアン型と同様のやり方ができる。ドライバー型はロフト角が１番１１°、３番  １６°、５番  ２１°となるロフト角変換板を選び、１番と３番を組みとし、５番は単独とする。
サンドウェツジの場合はロフト角が５６°と大きいのでロフト角変換板は組合せが難しく、一本あれば良いので、単独でロフト角やライ角の変換を行ったほうが゛良い。図３−１のようにロフト角変換板はヘッドの一部として一体化し、ロフト角変換板の取付け工程を減らすことができる。
パターもロフト角が９０°と大きく、またライ角は７５°としたいので、他のクラブと違いすぎ、また一本あれば良いので単独でロフト角の変換を行ったほうが良い。図４−１のようにロフト角変換板はヘッドの一部として一体化し、ロフト角変換板の取付け工程を減らすことができる。またライ角は図４−２のようにシャフトを１５°傾けて取付けられるようにすれば良い。
３．ヘッド底面の水平確保
ゴルフのクラブを選定し打撃に入る場合、クラブを何度も地面に置きフォームを確認して打つことになる。この時ヘッドを地面に置いて実際のロフト角の感覚を確かめているのである。要はヘッド底板を地面に置いた場合、接地面との水平感覚を掴めないと打ち辛いのである。この心配を解消するためロフト角変換に合わせてヘッド底板の水平を保つことができる形状・構造が必要であり、選択したクラブの打球方向や距離を確信できるのである。このため、水平確保板を蝶番構造で図１−３−２、図１−３−３、図２−３−２、図２−３−３、図２−３−４のように底面端部に取付け、アイアン型の場合は逆バネ蝶番によって自然に閉じるようにして、差込んだ水平確保板を押えるようにする。ドライバー型は底板が長いので、更にスプリングを取付けて閉じるようにすれば良い。底板には図１−２、図２−２のように突起を付け、一方では水平確保板には穴をあけて、突起にはめることで水平確保板の固定と飛び出し防止とする。
また、ヘッドの水平確保板をはめる箇所の軸受けＡ、Ｂの角度はいちばん大きいロフト角とし、アイアンの場合は９番とし、７番、５番、３番はロフト角の差分の角度を持った水平確保板を交換すればよい。ドライバーの場合は５番とし、３番、１番はロフト角の差分の角度を持った水平確保板を交換すればよい。
水平確保板はヘッド底面より、わずかに上げておくことで蝶番構造はヘッドの裏側であることでもあり、打撃時の衝撃を直接に受けずに済む。この場合、ボールが大きいのでヘッドの底端部が多少浮いても、また芝生上での動作なので感覚的には無視できる。
４．シャフト長さの伸縮構造
ドライバーとパターではシャフトの長さが最大で約３０ｃｍの差がある。しかし、ビックゴルフ（カントリーゴルフ）はゴルフ入門と捉え、ドライバーは長さを控えることで２０ｃｍ位の伸縮ができれば充分に対応できる。このため、クラブを一本で済むには２０ｃｍの伸縮を目標とする。（ドライバー、アイアン独自のクラブを持つ場合は伸縮の差は、更に小さくて済む）
伸縮をさせるための形状・構造は図５−１、図５−２で示すように、シャフトの上部の握りの部分を二重構造とし、上下にスライドさせることで伸縮ができる。そして、打撃時にシャフトが抜け出さないように、また二重構造の一体化を図るために、図５−２のようにネジ式の二重構造とし、一回転で１ｃｍの伸縮ができる程度のネジ山とすることで取り扱い易くする。そして、被せる側の下部に縦に切れ目を入れて、この切れ目のある部分を締め金具によって締付けることでシャフトの抜け出し防止と共に二重構造の一体化を確実にする。
【符号の説明】
【０００８】１．シャフト
２．ロフト角変換板
３．軸受けＡ
４．軸受けＢ
５．底板
６．水平確保板
７．補強板
８．締め金具
９．ナット
１０．逆バネ蝶番
１１．突起
【図１】
0003175452.tif 000003
【図１−１】
0003175452.tif 000004
【図１−２】
0003175452.tif 000005
【図１−３】
0003175452.tif 000006
【図１−３−１】
0003175452.tif 000007
【図１−３−２】
0003175452.tif 000008
【図１−３−３】
0003175452.tif 000009
【図２】
0003175452.tif 000010
【図２−１】
0003175452.tif 000011
【図２−２】
0003175452.tif 000012
【図２−３】
0003175452.tif 000013
【図２−３−１】
0003175452.tif 000014
【図２−３−２】
0003175452.tif 000015
【図２−３−３】
0003175452.tif 000016
【図２−３−４】
0003175452.tif 000017
【図３】
0003175452.tif 000018
【図３−１】
0003175452.tif 000019
【図３−２】
0003175452.tif 000020
【図３−３】
0003175452.tif 000021
【図３−３−１】
0003175452.tif 000022
【図４】
0003175452.tif 000023
【図４−１】
0003175452.tif 000024
【図４−２】
0003175452.tif 000025
【図４−３】
0003175452.tif 000026
【図４−３−１】
0003175452.tif 000027
【図５】
0003175452.tif 000028
【図５−１】
0003175452.tif 000029
【図５−２】
0003175452.tif 000030
【図６】
0003175452.tif 000031
【図６−１】
0003175452.tif 000032
【図６−２】
0003175452.tif 000033
【手続補正書】
【提出日】平成23年9月27日(2011.9.27)
【手続補正１】
【補正対象書類名】実用新案登録請求の範囲
【補正対象項目名】全文
【補正方法】変更
【補正の内容】
【実用新案登録請求の範囲】
【請求項１】
ゴルフ場の開放感あふれる自然を、多くの人が楽しめるように、ゴルフボールを大きく、軟らかくし、扱い易くしたビックゴルフ（別名  カントリーゴルフ）に使用するクラブを一本で済むようにクラブの形状・構造を
１．ヘッド部分をドライバー型、アイアン型、サンドウエッジ、パターの４組を交換できる形状・構造とする
ゴルフのクラブには▲１▼飛距離を出すことを重視するウッド（ドライバー型）、▲２▼方向性を重視するアイアン（アイアン型）、▲３▼グリーン上でボールを転がすことを重視するパター、▲４▼バンカーからの打ち上げを重視するサンドウエッジの四種類があり、それぞれのヘッドは重視する機能を発揮するのに都合の良いロフト角とライ角を採用しており、また構造は目標とする飛距離に応じた打撃力に対応できる材質と形状で構成されているが、これをシャフト軸とヘッドに分離し、四種類のヘッドを一本のシャフトで交換して使用できるように、ライ角で折り曲げたシャフト軸水平部の断面を円形の棒状の形状・構造とし、各ヘッドの裏側は、これを差込める円形の穴の開いた二組の軸受けを設けた形状・構造とし、ヘッドにシャフト軸を通し、また補強板の形状をシャフト軸にぴたりと沿わせる形状とすことで、両者を一体化させ、これをロフト角変換板でロフト角を固定させ、また締め金具とナットによりシャフト軸とヘッドを確実に固定・一体化できるようにすることで、一本のシャフトに四組のヘッドを交換して使用できる形状・構造とする
２．ロフト角の変換構造
各ロフト角変換板は底辺を水平とし、斜辺は水平に対し任意のロフト角となる形状とし、本体には六角形の穴を開け、他方ではシャフト軸の屈折させた水平部の根元の一部断面を六角形とし、ここにはめ込むことでロフト角変換板の斜辺は任意のロフト角で固定され、続いてヘッドを軸受けを通してシャフト先端部にはめ込み、裏面をロフト角変換板の斜辺にぴたりと合う形状・構造としておくことで平行であるヘッド前面も同じく任意のロフト角で固定され、多角形であるシャフトの六角形状の断面にはめ込まれたロフト角変換板は回転できずに固定され、締め金具によりロフト角変換板の斜辺にぴたりと押えられたヘッドも動けずに回転が防止できるので、このようなロフト角変換板の形状・構造
３．ヘッド底板の水平確保
ドライバー型とアイアン型では一つのヘッドで異なるロフト角の数本のクラブとして使用するので、それぞれにロフト角を実感できるように、まずヘッドの水平感覚を掴むために、ヘッド底部に上下に角度を変えられる底板を取付け、更にロフト角を増加させるためのセットとなる数枚の水平確保板の中から任意のロフト角に対応するものを底板上部に差込むことでヘッドは任意のロフト角が得られ、このようにヘッド底板と水平確保板を重ねた角度変化により任意のロフト角を設定して固定することができるので、これによって底板の水平も保持されるので、上下に角度を変えられる底板と角度を増加させるセットとなる数枚の水平確保板の組合せができる形状・構造
４．シャフト長さの伸縮構造
シャフトの握りの部分をネジ構造の二重構造とし、回転させることでシャフト長さを伸縮させ、ネジが噛み合うことで飛び出しを防止できる形状・構造
という四つの特徴を持つ形状・構造を有することで、ヘッドの交換、ロフト角の変換、底板の水平確保、シャフト長さの伸縮の組合せを任意にセットすることで多種類のクラブを持つと同じことになり、このような形状・構造を特徴としたクラブ
【手続補正書】
【提出日】平成23年12月13日(2011.12.13)
【手続補正１】
【補正対象書類名】実用新案登録請求の範囲
【補正対象項目名】全文
【補正方法】変更
【補正の内容】
【実用新案登録請求の範囲】
【請求項１】
ゴルフ場の開放感あふれる自然を、多くの人が楽しめるように、ゴルフボールを大きく、軟らかくし、扱い易くしたビックゴルフ（別名  カントリーゴルフ）に使用するクラブをシャフト軸一本に四種類のヘッドの交換で済むようにクラブの形状・構造を
１．ヘッド部分をドライバー型、アイアン型、サンドウエッジ、パターの４種類とし、交換できる形状・構造とする
ゴルフのクラブには▲１▼飛距離を出すことを重視するウッド（ドライバー型）、▲２▼方向性を重視するアイアン（アイアン型）、▲３▼グリーン上でボールを転がすことを重視するパター、▲４▼バンカーからの打ち上げを重視するサンドウエッジの四種類があり、それぞれのヘッドは重視する機能を発揮するのに都合の良いロフト角とライ角を採用しており、また構造は目標とする飛距離に応じた打撃力に対応できる材質と形状で構成されているが、これをシャフト軸とヘッドに分離し、四種類のヘッドを一本のシャフトで交換して使用できるように、ライ角で折り曲げたシャフト軸水平部の断面を円形の棒状の形状・構造とし、各ヘッドの裏側は、これを差込める円形の穴の開いた二組の軸受けを設けた形状・構造とし、ヘッドにシャフト軸を通し、ヘッド裏面の二組の軸受けの間に設けられた構造補強と衝撃緩和に対応するためヘッド本体の板厚を厚くした部分を補強材とし、シャフト軸と接触する部分の形状をシャフト軸断面の円形状にぴたりと沿わせる半円形状とすることで両者を一体化させ、ロフト角変換板でロフト角を固定させ、また締め金具とナットによりシャフト軸とヘッドを確実に固定・一体化できるようにすることで、一本のシャフトに四種類のヘッドを交換して使用できる形状・構造とする
２．ロフト角の変換構造
各ロフト角変換板は底辺を水平とし、斜辺は水平に対し任意のロフト角となる形状とし、本体には六角形の穴を開け、他方ではシャフト軸の屈折させた水平部の根元の一部断面を六角形とし、ここにはめ込むことでロフト角変換板の斜辺は任意のロフト角で固定され、続いてヘッドを軸受けを通してシャフト先端部にはめ込み、裏面をロフト角変換板の斜辺にぴたりと合う形状・構造としておくことで平行であるヘッド前面も同じく任意のロフト角で固定され、多角形であるシャフトの六角形状の断面にはめ込まれたロフト角変換板は回転できずに固定され、締め金具によりロフト角変換板の斜辺にぴたりと押えられたヘッドも動けずに回転が防止できるので、このようなロフト角変換板の形状・構造
３．ヘッド底板の水平確保
ドライバー型とアイアン型では一つのヘッドで異なるロフト角の数本のクラブとして使用するので、ロフト角は垂直線からのフェースの角度であるが、コース上でクラブを接地する地表面（水平）からの角度を逆算｛ロフト角＝９０度−（ロフト角変換板＋水平確保板）｝し、ロフト角の設定を地表面（水平）から実感できるように、まずヘッドの水平感覚を掴むために、ヘッド底部に上下に角度を変えられる底板を取付け、更にロフト角を変化させるためのセットとなる数枚の水平確保板（二つの軸受けの外側を結ぶ巾）の中から任意のロフト角に対応するものを底板上部（水平部）と二つの軸受けの底面の間に差込むことで両者により押えられるようになり、ヘッドも任意のロフト角が得られ、例えばドライバー型では軸受けの底面は水平からの角度がロフト角最大である５番ドライバーの６９度（ロフト角は２１度）の角度となっているのでロフト角を小さくするには角度差分の水平確保板を差込むことで、任意のロフト角へと設定でき、、このようにヘッド底板に水平確保板を重ねた角度変化によっても任意のロフト角を設定して固定することができ、これによって底板の水平も保持されロフト角の設定もロフト角変換板と二段構えとなるので、上下に角度を変えられる底板と角度を変化させるセットとなる数枚の水平確保板の組合せができる形状・構造
４．シャフト長さの伸縮構造
シャフトの握りの部分をネジ構造の二重構造とし、回転させることでシャフト長さを伸縮させ、ネジが噛み合うことで飛び出しを防止できる形状・構造
という四つの特徴を持つ形状・構造を有することで、ヘッドの交換、ロフト角の変換、底板の水平確保、シャフト長さの伸縮の組合せを任意にセットすることで、一本のシャフト軸に四種類のヘッドを交換することで多種類のクラブを持つと同じことになり、このような形状・構造を特徴としたクラブ
【手続補正書】
【提出日】平成24年2月15日(2012.2.15)
【手続補正１】
【補正対象書類名】実用新案登録請求の範囲
【補正対象項目名】全文
【補正方法】変更
【補正の内容】
【実用新案登録請求の範囲】
【請求項１】
ゴルフ場の開放感あふれる自然を、多くの人が楽しめるように、ゴルフボールを大きく、軟らかくし、扱い易くしたビックゴルフに使用するクラブをシャフト軸一本に四種類のヘッドの交換で済むようにクラブの形状・構造を
１．ヘッド部分をドライバー型、アイアン型、サンドウエッジ、パターの４種類とし、交換できる形状・構造とする
ゴルフのクラブには▲１▼飛距離を出すことを重視するドライバー、▲２▼方向性を重視するアイアン、▲３▼グリーン上でボールを転がすことを重視するパター、▲４▼バンカーからの打ち上げを重視するサンドウエッジの四種類があり、それぞれのヘッドは重視する機能を発揮するのに都合の良いロフト角とライ角を採用しており、また構造は目標とする飛距離に応じた打撃力に対応できる材質と形状で構成されているが、これをシャフト軸とヘッドに分離し、四種類のヘッドを一本のシャフトで交換して使用できるように、ライ角で折り曲げたシャフト軸水平部の断面を円形の棒状の形状・構造とし、各ヘッドの裏側は、これを差込める円形の穴の開いた二組の軸受けを設けた形状・構造とし、ヘッドにシャフト軸を通し、ヘッド裏面の二組の軸受けの間に設けられた構造補強と衝撃緩和に対応するためヘッド本体の板厚を厚くした部分を補強材とし、シャフト軸と接触する部分の形状をシャフト軸断面の円形状にぴたりと沿わせる半円形状とすることで両者を一体化させ、ロフト角変換板でロフト角を固定させ、また締め金具とナットによりシャフト軸とヘッドを確実に固定・一体化できるようにすることで、一本のシャフトに四種類のヘッドを交換して使用できる形状・構造とする
２．ロフト角の変換構造
各ロフト角変換板は底辺を水平とし、斜辺は水平に対し任意のロフト角となる形状とし、本体には六角形の穴を開け、他方ではシャフト軸の屈折させた水平部の根元の一部断面を六角形とし、ここにはめ込むことでロフト角変換板の斜辺は任意のロフト角で固定され、続いてヘッドを軸受けを通してシャフト先端部にはめ込み、裏面をロフト角変換板の斜辺にぴたりと合う形状・構造としておくことで平行であるヘッド前面も同じく任意のロフト角で固定され、多角形であるシャフトの六角形状の断面にはめ込まれたロフト角変換板は回転できずに固定され、締め金具によりロフト角変換板の斜辺にぴたりと押えられたヘッドも動けずに回転が防止できるので、このようなロフト角変換板の形状・構造
３．ヘッド底板の水平確保
ドライバー型とアイアン型では一つのヘッドで異なるロフト角の数本のクラブとして使用するので、ロフト角は垂直線からのフェースの角度であるが、コース上でクラブを接地する地表面からの角度を逆算し、ロフト角の設定を地表面から実感できるように、まずヘッドの水平感覚を掴むために、ヘッド底部に上下に角度を変えられる底板を取付け、更にロフト角を変化させるためのセットとなる数枚の水平確保板の中から任意のロフト角に対応するものを底板上部と二つの軸受けの底面の間に差込むことで両者により押えられるようになり、ヘッドも任意のロフト角が得られ、例えばドライバー型では軸受けの底面は水平からの角度がロフト角最大である５番ドライバーの６９度の角度となっているのでロフト角を小さくするには角度差分の水平確保板を差込むことで、任意のロフト角へと設定でき、このようにヘッド底板に水平確保板を重ねた角度変化によっても任意のロフト角を設定して固定することができ、これによって底板の水平も保持されロフト角の設定もロフト角変換板と二段構えとなるので、上下に角度を変えられる底板と角度を変化させるセットとなる数枚の水平確保板の組合せができる形状・構造
４．シャフト長さの伸縮構造
シャフトの握りの部分をネジ構造の二重構造とし、回転させることでシャフト長さを伸縮させ、ネジが噛み合うことで飛び出しを防止できる形状・構造
という四つの特徴を持つ形状・構造を有することで、ヘッドの交換、ロフト角の変換、底板の水平確保、シャフト長さの伸縮の組合せを任意にセットすることで、一本のシャフト軸に四種類のヘッドを交換することで多種類のクラブを持つと同じことになり、このような形状・構造を特徴としたクラブ